(57)【要約】【課題】ＰＯＳ端末と、処理装置とを備える制御システムについて、会計に応じて、多様な情報を示すコードを出力できるようにする。【解決手段】会計システム１は、会計時、会計に関する処理の実行を指示する制御データを送信するＰＯＳ端末８と、ＰＯＳ端末８から制御データを受信し、制御データに基づく処理を行い、制御データに基づくテキスト形式の会計情報を示す２次元コードを出力する記録装置１２と、を備える。【選択図】図１
2016038694.tif 000002
【特許請求の範囲】
【請求項１】
会計時、会計に関する処理の実行を指示する制御データを送信するＰＯＳ端末と、
前記ＰＯＳ端末から前記制御データを受信し、前記制御データに基づく処理を行い、前記制御データに基づくテキスト形式の会計情報を示すコードを出力する処理装置と、
を備えることを特徴とする会計システム。
【請求項２】
前記処理装置が出力した前記コードから前記会計情報を読み取り、読み取った前記会計情報に基づく処理を実行する端末を備えることを特徴とする請求項１に記載の会計システム。
【請求項３】
前記ＰＯＳ端末が送信する前記制御データは、バイナリーデータであり、
前記処理装置は、
バイナリーデータの前記制御データに基づいて、テキスト形式の前記会計情報を生成することを特徴とする請求項１又は２に記載の会計システム。
【請求項４】
前記処理装置は、
所定の形式に従って情報が配置されたテキスト形式の前記会計情報を生成することを特徴とする請求項３に記載の会計システム。
【請求項５】
前記処理装置は、記録する記録部を備え、前記記録部により、前記制御データに基づいて会計に関する情報と、前記コードとを記録することを特徴とする請求項１乃至４のいずれか１項に記載の会計システム。
【請求項６】
前記処理装置は、情報を表示する表示部を備え、前記表示部による表示により前記コードを出力することを特徴とする請求項１乃至４のいずれか１項に記載の会計システム。
【請求項７】
ＰＯＳ端末で、会計に関する処理の実行を指示する制御データを送信し、
処理装置で、前記制御データを受信し、前記制御データに基づく処理を行い、前記制御データに基づくテキスト形式の会計情報を示すコードを出力する
ことを特徴とする情報処理方法。
【請求項８】
外部装置から会計に関する処理の実行を指示する制御データを受信し、前記制御データに基づく処理を行い、前記制御データに基づくテキスト形式の会計情報を示すコードを出力することを特徴とする処理装置。
【発明の詳細な説明】
【技術分野】
【０００１】
本発明は、会計システム、情報処理方法、及び、処理装置に関する。
【背景技術】
【０００２】
従来、数値からなる情報を示すコードを記録装置（レシート発行装置）によって記録するシステムが知られている（例えば、特許文献１参照）。
また、ＰＯＳ端末と、ＰＯＳ端末の制御で処理を行う処理装置と、を備えるシステムが知られている。
【先行技術文献】
【特許文献】
【０００３】
【特許文献１】特開２００９−２０５６１６号公報
【発明の概要】
【発明が解決しようとする課題】
【０００４】
ここで、ＰＯＳ端末と、処理装置とを備えるシステムで、会計に関する情報を示すコードを記録する場合、特許文献１に記載された技術では、記録するコードに、予め定められた情報しか含めることができない。ここで、会計に関する情報は、様々な情報を含み、また、会計に応じて内容が変動するため、多様な情報をコードに含めることができるようにすることが求められる。
本発明は、上述した事情に鑑みてなされたものであり、ＰＯＳ端末と、処理装置とを備える制御システムについて、会計に応じて、多様な情報を示すコードを出力できるようにすることを目的とする。
【課題を解決するための手段】
【０００５】
上記目的を達成するために、本発明の会計システムは、会計時、会計に関する処理の実行を指示する制御データを送信するＰＯＳ端末と、前記ＰＯＳ端末から前記制御データを受信し、前記制御データに基づく処理を行い、前記制御データに基づくテキスト形式の会計情報を示すコードを出力する処理装置と、を備えることを特徴とする。
本発明の構成によれば、コードに、会計に応じた多様な情報を含めることができる。
【０００６】
また、本発明の会計システムは、前記処理装置が出力した前記コードから前記会計情報を読み取り、読み取った前記会計情報に基づく処理を実行する端末を備えることを特徴とする。
本発明の構成によれば、端末は、会計情報が記録された２次元コードを利用して、会計に応じた処理を実行できる。
【０００７】
また、本発明の会計システムは、前記ＰＯＳ端末が送信する前記制御データは、バイナリーデータであり、前記処理装置は、バイナリーデータの前記制御データに基づいて、テキスト形式の前記会計情報を生成することを特徴とする。
本発明の構成によれば、会計に際してＰＯＳ端末から記録装置に送信されるバイナリーデータの制御データを利用して、コードに会計に応じた多様な情報を含めることができる。
【０００８】
また、本発明の会計システムは、前記処理装置は、所定の形式に従って情報が配置されたテキスト形式の前記会計情報を生成することを特徴とする。
本発明の構成によれば、会計情報から情報の種類に応じて、情報を区別して取得できる。
【０００９】
また、本発明の会計システムは、前記処理装置は、記録する記録部を備え、前記記録部により、前記制御データに基づいて会計に関する情報と、前記コードとを記録することを特徴とする。
本発明の構成によれば、記録部を利用して、コードを出力できる。
【００１０】
また、本発明の会計システムは、前記処理装置は、情報を表示する表示部を備え、前記表示部による表示により前記コードを出力することを特徴とする。
本発明の構成によれば、表示部を利用して、コードを出力できる。
【００１１】
また、上記目的を達成するために、本発明の情報処理装置は、ＰＯＳ端末で、会計に関する処理の実行を指示する制御データを送信し、処理装置で、前記制御データを受信し、前記制御データに基づく処理を行い、前記制御データに基づくテキスト形式の会計情報を示すコードを出力することを特徴とする。
本発明の構成によれば、コードに、会計に応じた多様な情報を含めることができる。
【００１２】
また、上記目的を達成するために、本発明の処理装置は、外部装置から会計に関する処理の実行を指示する制御データを受信し、前記制御データに基づく処理を行い、前記制御データに基づくテキスト形式の会計情報を示すコードを出力することを特徴とする。
【図面の簡単な説明】
【００１３】
【図１】本実施形態に係る会計システムの機能的構成を示すブロック図。
【図２】会計システムが備える各装置の動作を示すフローチャート。
【図３】会計情報を示す図。
【発明を実施するための形態】
【００１４】
以下、図面を参照して本発明の実施形態について説明する。
【００１５】
図１は、会計システム１の機能的構成を示すブロック図である。
図１に示すように、会計システム１は、ＰＯＳシステム５と、端末１４とを備える。
ＰＯＳシステム５は、ＰＯＳ端末８と、記録装置１２（処理装置）と、を備える。
【００１６】
ＰＯＳ端末８と、記録装置１２は、店舗のレジカウンターに設けられる。レジカウンターで行われる店舗に来店した顧客の会計に応じて、ＰＯＳ端末８は、記録装置１２を制御して、レシートを発行する。発行されたレシートは、顧客に引き渡される。
【００１７】
記録装置１２は、ロール紙を収容し、ロール紙にライン型のサーマルヘッドによってドットを形成することにより画像を記録するラインサーマルプリンターである。
図１に示すように、記録装置１２は、制御部３０と、記録部３１と、入力部３３と、通信インターフェース３５と、記憶部３８と、表示部３９と、を備える。
【００１８】
制御部３０は、ＣＰＵや、ＲＯＭ、ＲＡＭ等を備え、記録装置１２を制御する。制御部３０は、例えば、ＲＯＭが記憶するファームウェアを読み出して実行することにより記録装置１２を制御する。
【００１９】
記録部３１は、サーマルヘッドや、ロール紙の搬送機構、ロール紙を切断可能なカッターユニット、その他のロール紙への記録に関する機構を備え、制御部３０の制御で、ロール紙にドットを形成し、記録を実行する。
【００２０】
入力部３３は、記録装置１２の筐体に設けられた操作スイッチを備え、操作スイッチに対する操作を検出し、制御部３０に出力する。制御部３０は、入力部３３からの入力に基づいて、操作スイッチに対する操作が行われたことを検出し、行われた操作に対応する処理を実行する。
【００２１】
通信インターフェース３５は、制御部３０の制御で、所定の通信規格に従って、ＰＯＳ端末８と通信する。
【００２２】
記憶部３８は、不揮発性メモリーを備え、データを記憶する。
【００２３】
表示部３９は、液晶表示ディスプレー等を備え、制御部３０の制御で、各種情報を表示する。
【００２４】
図１に示すように、端末１４は、端末制御部５０と、タッチパネル５１と、端末記憶部５４と、カメラ装置５５と、を備える。
【００２５】
端末制御部５０は、ＣＰＵや、ＲＯＭ、ＲＡＭ等を備え、端末１４を制御する。
【００２６】
タッチパネル５１は、端末１４の前面に設けられた表示パネル５１ａと、表示パネル５１ａに重ねて設けられたタッチセンサー５１ｂとを備える。表示パネル５１ａは、液晶表示パネルや、有機ＥＬパネル等のディスプレーである。タッチセンサー５１ｂは、静電容量式や、感圧式等のセンサーであり、ユーザーの手指やペン型操作デバイスによるタッチ操作を検出して、端末制御部５０に送信する。
【００２７】
カメラ装置５５は、ＣＣＤイメージセンサーやＣＭＯＳイメージセンサー等の撮像素子、撮影レンズ群、ズームやフォーカス等の調整の際に撮影レンズ群を駆動するレンズ駆動部等を備え、撮影を行う。カメラ装置５５は、撮影に基づいて、撮影画像データを生成し、端末制御部５０に出力する。
【００２８】
端末記憶部５４は、不揮発性メモリーを備え、データを記憶する。
【００２９】
端末１４には、所定のアプリケーション（以下、「端末アプリケーションＡＰ」と表現する。）が予めインストールされる。端末１４の端末制御部５０は、端末アプリケーションＡＰの機能によって処理を実行する端末アプリケーション実行部５０ａを備える。端末アプリケーション実行部５０ａの処理については、後述する。
【００３０】
ところで、上述したように、ＰＯＳシステム５は、店舗に来店した顧客の会計に応じて、紙媒体のレシートを発行する。レシートは、顧客に引き渡される。そして、本実施形態では、会計を行った顧客は、レシートを利用して、端末１４に所定の処理を実行させることができる。以下、詳述する。
【００３１】
図２は、会計システム１の各装置の動作を示すフローチャートである。（Ａ）はＰＯＳ端末８の動作を示し、（Ｂ）は記録装置１２の動作を示し、（Ｃ）は端末１４の動作を示す。
【００３２】
図２（Ａ）に示すように、ＰＯＳ端末８は、顧客の会計に応じて決済処理を行い、決済処理に基づいて制御データを生成する（ステップＳＡ１）。
詳述すると、ＰＯＳ端末８は、機能ブロックとして、ＰＯＳアプリケーションを実行するＰＯＳアプリケーション実行部と、プリンタードライバーを実行するプリンタードライバー実行部と、を備える。
ＰＯＳアプリケーション実行部は、顧客の会計に応じて、レシートに記録する情報を含むレシート情報を生成する。レシート情報は、レシートに記録するロゴに関する情報や、レシートの発行日時（日付＋時刻）を示す情報、顧客が購入した商品の名称、商品の単価、購入した商品の数量、税に関する情報、合計購入金額、顧客から受け取った金銭の額、お釣りを示す情報、その他の情報を含む情報である。図示は省略するが、ＰＯＳ端末８には、商品や商品の包装等に付されたバーコードを読み取るバーコードリーダーが接続される。ＰＯＳアプリケーション実行部は、店舗に来店した顧客の会計に際し、バーコードリーダーからの入力、また、テンキー等の入力手段に対するレジ担当者の入力に基づいて、適宜、所定の手段で商品マスターや顧客マスターから必要な情報を取得して、レシート情報を生成する。
レシート情報の生成後、プリンタードライバー実行部は、記録装置１２のコマンド体系に従った制御データであって、レシート情報の記録を指示する制御データを生成する。制御データは、バイナリーデータである。
次いで、ＰＯＳ端末８は、生成した制御データを、記録装置１２に送信する（ステップＳＡ２）。
【００３３】
図２（Ｂ）に示すように、記録装置１２の制御部３０は、通信インターフェース３５を制御して、制御データを受信する（ステップＳＢ１）。
【００３４】
次いで、制御部３０は、制御データに基づいて、テキスト形式の会計情報を生成し、取得する（ステップＳＢ２）。
会計情報は、レシート情報に含まれる会計に関する情報のことをいう。本実施形態では、会計情報は、レシートの発行日時を示す情報、顧客が購入した商品の名称、商品の単価、購入した商品の数量、及び、合計購入金額を含む。以下、会計情報に含まれるレシートの発行日時を示す情報を「発行日時情報」という。また、会計情報に含まれる顧客が購入した商品の名称、商品の単価、購入した商品の数量の組み合わせを「購入商品情報」という。また、会計情報に含まれる合計購入金を「合計購入金額情報」という。
会計情報において、各情報は、テキスト（文字コードの組み合わせ）で表現される。
【００３５】
図３は、ステップＳＢ２で制御部３０が生成する会計情報の一例を示す図である。
上述したように、会計情報は、発行日時情報、購入商品情報、及び、合計購入金額情報を含む。顧客が複数種類の商品を購入した場合は、会計情報は、複数の購入商品情報を含む。
会計情報は、所定の形式に従って構造化されて、各情報が配置される。図３の例では、会計情報に含まれる各情報は、各情報を表すタグで囲まれて、予め定められた順番で配置される。詳述すると、会計情報では、発行日時情報→購入商品情報→合計購入金額情報の順番で情報が配置される。
発行日時情報（図３で「２０１４／１／１／１２：００」と示された情報）は、発行日時情報を表すタグＴＧ１で囲まれて情報が配置される。
購入商品情報（図３で、「リンゴ／２００／１」と示された情報、及び、「ブドウ／５００／２」と示された情報）は、購入商品情報を表すタグＴＧ２で囲まれて情報が配置される。購入商品情報が複数ある場合は、それぞれの購入商品情報がタグＴＧ２で囲まれて配置される。購入商品情報は、商品名→／（スラッシュ）→単価→／（スラッシュ）→購入数量の順番で情報が配置される。
合計購入金額情報（図３で「１２００」と示された情報）は、合計購入金額情報を表すタグＴＧ３で囲まれた情報が配置される。
【００３６】
ステップＳＢ２で、制御部３０は、制御データを分析し、発行日時情報、購入商品情報、及び、合計購入金額情報を取得する。次いで、制御部３０は、図３で例示したように、所定の形式に従って構造化して情報を配置して、会計情報を生成する。
【００３７】
会計情報を生成して取得した後、制御部３０は、ステップＳＢ１で受信した制御データ、及び、ステップＳＢ２で取得した会計情報に基づいて、レシートを発行する（ステップＳＢ３）。
詳述すると、制御部３０は、制御データに基づいて記録部３１を制御し、ロール紙にレシート情報を記録する。次いで、制御部３０は、ステップＳＢ２で取得したテキスト形式の会計情報に基づいて、会計情報を示す２次元コード（コード）を生成する。次いで、制御部３０は、記録部３１を制御して、記録したレシート情報の後に、生成した２次元コードを記録する。なお、制御部３０は、所定の情報に基づいて、当該所定の情報を示す２次元コードを生成する機能を有する。次いで、制御部３０は、記録した２次元コードよりも後ろの位置でロール紙を切断する。これによりレシートの発行が完了する。発行されたレシートには、レシート情報のほか、会計情報を示す２次元コードが記録される。発行されたレシートは、レジ担当者によって、顧客に引き渡される。
【００３８】
このように、本実施形態では、２次元コードには、テキスト形式の会計情報が含まれる。このため、２次元コードに会計に応じた多様な情報を含めることができる。
【００３９】
一方、レジカウンターで会計を行った顧客は、引き渡されたレシートを用いて、端末１４に後述する処理を行わせたい場合、以下の処理を実行する。すなわち、顧客は、端末１４のカメラ装置５５により、レジ担当者から引き渡されたレシートに記録された２次元コードを撮影する。カメラ装置５５は、撮影結果に基づく撮影画像データを、端末制御部５０の端末アプリケーション実行部５０ａに出力する。
【００４０】
図２（Ｃ）に示すように、端末アプリケーション実行部５０ａは、カメラ装置５５から入力される撮影画像データを分析し、撮影画像データに、２次元コードの画像データが含まれるか否かを監視する（ステップＳＣ１）。
【００４１】
含まれる場合（ステップＳＣ１：ＹＥＳ）、端末アプリケーション実行部５０ａは、撮影画像データに含まれる２次元コードの画像データを分析し、２次元コードに記録された会計情報を読み取って、会計情報を取得する（ステップＳＣ２）。
【００４２】
次いで、端末アプリケーション実行部５０ａは、ステップＳＣ２で取得した会計情報に基づいて、所定の処理を実行する（ステップＳＣ３）。
所定の処理は、例えば、電子レシートのタッチパネル５１への表示である。詳述すると、端末アプリケーション実行部５０ａは、ステップＳＣ２で取得した会計情報から、発行日時情報、購入商品情報、及び、合計購入金額情報を取得する。会計情報は、所定の形式に従って構造化されているので、端末アプリケーション実行部５０ａは、会計情報から、発行日時情報、購入商品情報、及び、合計購入金額情報を、区別して取得できる。
次いで、端末アプリケーション実行部５０ａは、取得した発行日時情報、購入商品情報、及び、合計購入金額情報を、予め定められたレイアウトに従って、紙媒体のレシートに模して、電子レシートとしてタッチパネル５１に表示する。
なお、会計情報を、例えば、発行日時情報を示す情報と対応付けて記憶する構成とすれば、発行日時をキーとした会計情報の検索が可能となり、また、検索された会計情報に基づく電子レシートの表示がいつでも可能となる。
【００４３】
また例えば、所定の処理は、以下である。すなわち、端末アプリケーション実行部５０ａは、家計簿を記録する機能を有する。端末アプリケーション実行部５０ａは、会計情報に基づいて、会計簿を更新する。
【００４４】
以上、所定の処理を例示したが、所定の処理は、例示したものに限られない。会計情報は、所定の形式に従って構造化されているため、端末アプリケーション実行部５０ａは、種類ごとに区別して情報を取得でき、取得した情報に基づいて、会計に対応した様々な処理を実行できる。
【００４５】
以上説明したように、本実施形態に係る会計システム１は、会計時、会計に関する処理の実行を指示する制御データを送信するＰＯＳ端末８と、ＰＯＳ端末８から制御データを受信し、制御データに基づく処理を行い、制御データに基づくテキスト形式の会計情報を示す２次元コード（コード）を出力する記録装置１２（処理装置）と、を備える。
この構成によれば、２次元コードには、テキスト形式の会計情報が含まれる。このため、２次元コードに会計に応じた多様な情報を含めることができる。
【００４６】
また、本実施形態に係る会計システム１は、記録装置１２が出力した２次元コードから会計情報を読み取り、読み取った会計情報に基づく処理を実行する端末１４を備える。
この構成によれば、端末１４は、会計情報が記録された２次元コードを利用して、会計に応じた処理を実行できる。
【００４７】
また、本実施形態では、ＰＯＳ端末８が送信する制御データは、バイナリーデータである。そして、記録装置１２は、バイナリーデータの制御データに基づいて、テキスト形式の会計情報を生成する。
この構成によれば、会計に際してＰＯＳ端末８から記録装置１２に送信されるバイナリーデータの制御データを利用して、２次元コードに会計に応じた多様な情報を含めることができる。
【００４８】
また、本実施形態では、記録装置１２は、所定の形式に従って情報が配置されたテキスト形式の会計情報を生成する。
この構成によれば、所定の形式で情報が配置されることを利用して、会計情報から情報の種類に応じて、情報を区別して取得できる。
【００４９】
また、本実施形態では、記録装置１２は、記録部３１を備える。記録装置１２の制御部３０は、レシートの発行に際し、レシート情報（会計に関する情報）と併せて、会計情報が記録された２次元コードを記録する。
本発明の構成によれば、会計に際して、記録装置１２がレシートを発行することを利用して、２次元コードを出力できる。
【００５０】
なお、上述した実施の形態は、あくまでも本発明の一態様を示すものであり、本発明の範囲内で任意に変形および応用が可能である。
例えば、上述した実施形態では、記録装置１２は、記録部３１による記録により、２次元コードを出力していた。しかしながら、記録装置１２が、表示部３９による表示により、２次元コードを出力する構成であってもよい。この場合、顧客は、表示部３９に表示された２次元コードを、所有する端末１４により読み取る。
また、図を用いて説明した各機能ブロックはハードウェアとソフトウェアにより任意に実現可能であり、特定のハードウェア構成を示唆するものではない。
【符号の説明】
【００５１】
１…会計システム、５…ＰＯＳシステム、８…ＰＯＳ端末、１２…記録装置（処理装置）、１４…端末、３１…記録部、３９…表示部。
【図１】
2016038694.tif 000003
【図２】
2016038694.tif 000004
【図３】
2016038694.tif 000005